(57)【要約】【課題】凍結障害防止効果が優れるとともに、光ファイバーケーブルなどの通信ケーブルの挿通が容易であり、また、凍結故障防止機能を簡単に交換できる凍結故障防止用通信ケーブル管を提供する。【解決手段】体積膨張吸収材料層４と、該体積膨張吸収材料層４の内面および外面にそれぞれ積層され、外面および内面が実質的に平滑な可撓管５と、から凍結故障防止管３を形成し、この凍結故障防止管３を外管体２の内側に挿通して凍結故障防止用通信ケーブル管を得る。凍結障害が発生すれば、凍結故障防止管３を引き出し、新たな凍結故障防止管３を挿通して交換する。【選択図】図１
2008079437.tif 000002
【特許請求の範囲】
【請求項１】
外管体の内側に、体積膨張吸収材料層と、該体積膨張吸収材料層の内面および外面にそれぞれ積層され、外面および内面が実質的に平滑な可撓管と、からなる凍結故障防止管が挿通されていることを特徴とする凍結故障防止用通信ケーブル管。
【請求項２】
外管体の内側に、体積膨張吸収材料層と、該体積膨張吸収材料層の内面および外面にそれぞれ積層され、外面および内面が実質的に平滑な可撓管と、からなり、管軸方向に沿って切欠部が形成された凍結故障防止管が挿通されていることを特徴とする凍結故障防止用通信ケーブル管。
【請求項３】
外管体の内側に、断面半円筒状の体積膨張吸収材料層と、該体積膨張吸収材料層の内面および外面にそれぞれ積層され、外面および内面が実質的に平滑な断面半円筒状の可撓管と、からなる一対の断面半円筒状の積層体によって略円筒形状に形成された凍結故障防止管が挿通されていることを特徴とする凍結故障防止用通信ケーブル管。
【請求項４】
前記可撓管が、一側縁に二股状で、かつ、開口端縁に抜け止め部が対向して設けられた嵌合部を有し、他側縁に、該嵌合部内に摺動可能に嵌入係止される係止部を有する帯状の合成樹脂製プロファイルが螺旋状に巻回されるとともに、該巻回状態において互いに隣り合う嵌合部と係止部とが嵌合されて筒状に形成されてなる請求項１，２または３記載の凍結故障防止用通信ケーブル管。
【請求項５】
前記体積膨張吸収材料が、発泡倍率が２０〜５０倍であり、独立気泡を有する樹脂発泡体であることを特徴とする請求項１，２または３記載の凍結故障防止用通信ケーブル管。
【請求項６】
前記凍結故障防止管に形成された切欠部が、対向する開口端の内周面にわたって開閉自在に設けられたゴムなどからなるカバー板によって遮蔽され、また、内側の可撓管の対向する開口端縁部がゴムなどからなるカバーによってそれぞれ被覆され、さらに、体積膨張吸収材料層が露出するように、外側の可撓管が内側の可撓管の切欠部よりも大きな範囲にわたって切り欠かれていることを特徴とする請求項２記載の凍結故障防止用通信ケーブル管。
【請求項７】
前記各積層体の一方の開口端の内周面に、互いに対向する他方の積層体の開口端の内周面に接触するゴムなどからなるカバー板が設けられるとともに、内側の可撓管の一方の開口端縁部がゴムなどからなるカバーによってそれぞれ被覆されていることを特徴とする請求項３記載の凍結故障防止用通信ケーブル管。
【発明の詳細な説明】
【技術分野】
【０００１】
本発明は、地下に埋設された通信ケーブル管内に付設されている光ケーブルなどの通信ケーブルが、管内に浸入した水の凍結時に損傷を受けない凍結故障防止用通信ケーブル管に関するものである。
【背景技術】
【０００２】
従来、光ファイバーケーブルなどの通信ケーブルを地中に埋設する場合、通信ケーブルを保護するために、通信ケーブル管を埋設し、この通信ケーブル管内に通信ケーブルを挿通しているが、地中であるため通信ケーブル管内に水が浸入することは避けられなかった。
【０００３】
また、通信ケーブルは、図８に示すように、通信ケーブル管２０に分岐管２１を接続し、その先端を地表に露出させ、その端部から通信ケーブルを取り出して各家庭などに接続している。すなわち、分岐管２１は、小径の通信ケーブル管２２、小径の通信ケーブル管２２の先端に接続されたベンド管２３、ベンド管２３の先端に接続された立ち上げ管２４から構成され、立ち上げ管２４の端部２４ａを地表に露出させ、その端部２４ａから通信ケーブルを取り出すようになっている。この場合、立ち上げ管２４の端部２４ａが地表に露出しているので、内部に結露が発生したり、不明水が浸入して、分岐管２１に水が溜まることは避けられなかった。
【０００４】
寒冷地の地表部近傍においては、地表に露出している立ち上げ管２４の端部２４ａを経て侵入する冷気によって内部に浸入した水が凍結して体積膨張し、凍結した氷が通信ケーブルを圧迫して通信特性を悪化させたり、通信ケーブル管を破壊してしまうという問題があった。このような浸入水の凍結は、気温にもよるが、浅い位置に埋設されて冷気の影響が受けやすい部分、例えば、立ち上げ管２４からベンド管２３と小径の通信ケーブル管２２との接続部近傍までの範囲において顕著に発生する。
【０００５】
このような問題を解消するために種々の提案がなされている。例えば、光ファイバーケーブルに凍結障害防止パイプを並べて沿わせ、かつ、バインダーにより束ねて一体とした凍結障害防止パイプ付き光ファイバーケーブルを通信ケーブル管路に挿通する方法（例えば、特許文献１参照。）、パイプの内側に少なくとも１本以上のケーブル挿通管を有する凍結障害防止用パイプを通信ケーブル管に挿通する方法（例えば、特許文献２参照。）などが提案されている。
【０００６】
一方、水道管において、水の凍結による水道管の破壊を防止するために、水道管内に膨張吸収層を積層することが提案されている。例えば、合成樹脂管の内周に、弾性的に体積が変化する独立気泡をもった海綿状合成ゴムまたは合成樹脂の皮膜を接着した、内部の水が凍結した時の体積の膨張を吸収する水道管（例えば、特許文献３参照。）や、温度低下により凍結する液体を収納する液体用管であって、前記液体を収納するための管本体と、この管本体の内周面に配設され、前記液体の凍結に伴うこの液体の体積膨張に応じ、押し潰されることにより体積を減少させて前記液体の体積膨張を吸収する材質のもので構成された内側ライニング層としての膨張吸収層とを備えることを特徴とする凍結破損防止型液体用管（例えば、特許文献４参照。）などが提案されている。
【特許文献１】特開平６−１８７２１号公報
【特許文献２】特開平５−２７６６４１号公報
【特許文献３】実開昭６３−１２６４６５号公報
【特許文献４】特開２００３−２５４６２９号公報
【発明の開示】
【発明が解決しようとする課題】
【０００７】
しかしながら、特許文献１，２に記載された発明においては、光ファイバーケーブルなどの通信ケーブルに凍結障害防止パイプを併設するのであるから、通信ケーブルの挿通が困難になるととともに、コストが高くなるという欠点があった。特に、管径が小さな分岐管に挿通することは困難であった。
【０００８】
さらに、特許文献３，４に記載された水道管を通信ケーブル管として使用すると、内面の膨張吸収層は柔軟な層なので光ケーブルなどの通信ケーブルを挿入する際に抵抗が発生し、挿通が困難になる他、挿通の際に光ケーブルなどの通信ケーブルや金属製の通信ケーブルの通線具により膨張吸収層が傷つけられて、膨張吸収性能が低下するなどの欠点があった。
【０００９】
本発明は、このような従来技術の問題点に鑑みてなされたものであり、凍結障害防止効果が優れるとともに、光ファイバーケーブルなどの通信ケーブルの挿通が容易であり、また、凍結故障防止機能を簡単に交換することのできる凍結故障防止用通信ケーブル管を提供するものである。
【課題を解決するための手段】
【００１０】
請求項１記載の凍結故障防止用通信ケーブル管は、外管体の内側に、体積膨張吸収材料層と、該体積膨張吸収材料層の内面および外面にそれぞれ積層され、外面および内面が実質的に平滑な可撓管と、からなる凍結故障防止管が挿通されていることを特徴とするものである。
【００１１】
前記外管体は、従来から光ファイバーケーブルなどの通信ケーブル管として使用されている任意の管体が使用可能であり、例えば、塩化ビニル樹脂、ポリエチレン樹脂、ポリプロピレン樹脂などの熱可塑性樹脂管、金属管などが挙げられ、また、その形状も特に限定されず、例えば、直管、３０度、６０度、９０度などの角度に曲げられている曲管が挙げられる。特に、難燃性、曲げ加工の二次加工性の観点から塩化ビニル樹脂が好ましい。
【００１２】
前記凍結故障防止管を構成する体積膨張吸収材料層は、水が凍結して増加した体積を吸収しうるものであれば任意の材料が使用可能であるが、耐水性、形状復元性などが優れた材料、例えば、ポリエチレン樹脂、ポリプロピレン樹脂、エチレン−プロピレン共重合体、エチレン−ブテン−１共重合体、エチレン−ヘキセン−１共重合体、エチレン−酢酸ビニル系樹脂共重合体、ポリスチレン樹脂、スチレン−イソプレン−スチレン共重合体、塩化ビニル樹脂、ゴムなどの熱可塑性樹脂の独立気泡を有する発泡体が好ましく、特に、独立気泡を有するポリエチレン樹脂発泡体が好ましい。
【００１３】
また、熱可塑性樹脂発泡体の発泡倍率は、小さくなると硬くなり体積膨張吸収性能が低下し、大きくなると体積膨張吸収性能は向上するが機械的強度が低下するので２０〜５０倍が好ましく、より好ましくは２５〜４０倍である。
【００１４】
体積膨張吸収材料層の厚さは、特に限定されるものではないが、水が凍結した際の体積膨張吸収材料層の変形率（圧縮率）が大きくなると、形状復元性が低下し、水が解凍されても体積膨張吸収材料層の形状が復元されにくくなるので、水が凍結した際の体積膨張吸収材料層の変形率（圧縮率）が５０％以下になるように設計されるのが好ましい。
【００１５】
前記凍結故障防止管を構成する可撓管は、水が凍結した際の体積膨張を体積膨張吸収材料層に伝達しうる可撓性を有する管であれば特に限定されず、例えば、ゴム成分を含有する塩化ビニル樹脂、ポリエチレン樹脂、ポリプロピレン樹脂などの熱可塑性樹脂管などが挙げられる。特に、リサイクル性、コストの観点からポリエチレン樹脂が好ましい。
【００１６】
また、可撓管は、その外面および内面が実質的に平滑面であることが好ましい。すなわち、可撓管が体積膨張吸収材料層の外面に積層されることにより、外管体との接触面となる外面および体積膨張吸収材料層との接触面となる内面が平滑面となり、凍結故障防止管の交換に際して外管体に対する抵抗を低減することができるとともに、体積膨張吸収材料層の傷付きを防止することができる。また、可撓管が体積膨張吸収材料層の内面に積層されることにより、体積膨張吸収材料層との接触面となる外面および通信ケーブルとの接触面となる内面が平滑面となり、体積膨張吸収材料層の傷付きを防止することができるとともに、通信ケーブルの引き込みに際して挿通抵抗を低減することができる。
【００１７】
このような凍結故障防止用通信ケーブル管によれば、管内に浸入してきた水が凍結しても、可撓管を介して体積膨張吸収材料層で凍結による体積増加を吸収することができ、通信ケーブルが圧迫されて通信特性が悪化したり、通信ケーブル管が破壊されることがなく、凍結障害防止効果が優れている。
【００１８】
また、凍結故障防止用通信ケーブル管の内面は実質的に平滑な可撓管よりなるので滑り特性が優れており、光ケーブルなどの通信ケーブルの挿通が容易であり、より径大な管を用いずとも多数の通信ケーブルを挿通することができ、また、小径な分岐管であっても容易に挿通することができる。
【００１９】
さらに、凍結故障防止用通信ケーブル管は、外管体の内側に、可撓管と体積膨張吸収材料層と可撓管が順次積層されてなる凍結故障防止管を挿通して形成されるため、万が一通信障害が発生した際には、凍結故障防止管の凍結故障防止機能が損なわれたと想定し、凍結故障防止管を外管体から引き抜き、新たな凍結故障防止管を外管体内に挿入することにより、凍結故障防止管を簡単に交換することができる。
【００２０】
なお、通信ケーブルの管路を形成する場合、全てを凍結故障防止用通信ケーブル管で形成する必要はなく、水が凍結する可能性のある部分のみ凍結故障防止用通信ケーブル管を使用すればよく、凍結深度以上の深さに埋設されて水が凍結しない部分は従来から使用されている通信ケーブル管を使用すればよい。
【００２１】
請求項２記載の凍結故障防止用通信ケーブル管は、外管体の内側に、体積膨張吸収材料層と、該体積膨張吸収材料層の内面および外面にそれぞれ積層され、外面および内面が実質的に平滑な可撓管と、からなり、管軸方向に沿って切欠部が形成された凍結故障防止管が挿通されていることを特徴とするものである。
【００２２】
本発明における外管体、体積膨張吸収材料層および可撓管は、請求項１記載の凍結故障防止用通信ケーブル管を構成する外管体、体積膨張吸収材料層および可撓管と同一であるので説明を省略する。
【００２３】
前記凍結故障防止管に形成される切欠部の開口幅は、光ファイバーケーブルなどの通信ケーブルが挿通できる大きさに形成される。開口幅が大きくなると、通信ケーブルの挿通が容易となるが、その分、通信ケーブルが切欠部に脱落する機会が大きくなる。通信ケーブルが切欠部に脱落すると、切欠部と接触して傷付けられたり、挿通抵抗となる。
【００２４】
このような凍結故障防止用通信ケーブル管によれば、管内に浸入してきた水が凍結しても、可撓管を介して体積膨張吸収材料層で凍結による体積増加を吸収することができ、通信ケーブルが圧迫されて通信特性が悪化したり、通信ケーブル管が破壊されることがなく、凍結障害防止効果が優れている。
【００２５】
また、凍結故障防止用通信ケーブル管の内面は実質的に平滑な可撓管よりなるので滑り特性が優れており、光ケーブルなどの通信ケーブルの挿通が容易であり、より径大な管を用いずとも多数の通信ケーブルを挿通することができ、また、小径な分岐管であっても容易に挿通することができる。
【００２６】
さらに、凍結故障防止用通信ケーブル管は、外管体の内側に、可撓管と体積膨張吸収材料層と可撓管が順次積層されてなる凍結故障防止管を挿通して形成されるため、万が一通信障害が発生した際には、凍結故障防止管の凍結故障防止機能が損なわれた想定し、凍結故障防止管を外管体から引き抜き、新たな凍結故障防止管を外管体内に挿入することにより、凍結故障防止管を簡単に交換することができる。
【００２７】
この際、切欠部を通して凍結故障防止管から通信ケーブルを抜き出しながら凍結故障防止管を外管体から引き出し、あるいは、切欠部を通して凍結故障防止管の内側へ通信ケーブルを押し込みながら凍結故障防止管を外管体に挿通することができることから、通信ケーブルの有無に関係なく凍結故障防止管を交換することが可能となり、通信ケーブルを撤去したり、別途バイパス回路を形成するなどの準備作業を大幅に削減することができる。
【００２８】
なお、通信ケーブルの管路を形成する場合、全てを凍結故障防止用通信ケーブル管で形成する必要はなく、水が凍結する可能性のある部分のみ凍結故障防止用通信ケーブル管を使用すればよく、凍結深度以上の深さに埋設されて水が凍結しない部分は従来から使用されている通信ケーブル管を使用すればよい。
【００２９】
請求項３記載の凍結故障防止用通信ケーブル管は、外管体の内側に、断面半円筒状の体積膨張吸収材料層と、該体積膨張吸収材料層の内面および外面にそれぞれ積層され、外面および内面が実質的に平滑な断面半円筒状の可撓管と、からなる一対の断面半円筒状の積層体によって略円筒形状に形成された凍結故障防止管が挿通されていることを特徴とするものである。
【００３０】
本発明における外管体、体積膨張吸収材料層および可撓管は、請求項１記載の凍結故障防止用通信ケーブル管を構成する外管体、体積膨張吸収材料層および可撓管と同一であるので説明を省略する。
【００３１】
このような凍結故障防止用通信ケーブル管によれば、管内に浸入してきた水が凍結しても、可撓管を介して体積膨張吸収材料層で凍結による体積増加を吸収することができ、通信ケーブルが圧迫されて通信特性が悪化したり、通信ケーブル管が破壊されることがなく、凍結障害防止効果が優れている。
【００３２】
また、凍結故障防止用通信ケーブル管の内面は実質的に平滑な可撓管よりなるので滑り特性が優れており、光ケーブルなどの通信ケーブルの挿通が容易であり、より径大な管を用いずとも多数の通信ケーブルを挿通することができ、また、小径な分岐管であっても容易に挿通することができる。
【００３３】
さらに、凍結故障防止用通信ケーブル管は、外管体の内側に、可撓管と体積膨張吸収材料層と可撓管が順次積層されてなる凍結故障防止管を挿通して形成されるため、万が一通信障害が発生した際には、凍結故障防止管の凍結故障防止機能が損なわれた想定し、凍結故障防止管を外管体から引き抜き、新たな凍結故障防止管を外管体内に挿入することにより、凍結故障防止管を簡単に交換することができる。
【００３４】
この際、外管体から一対の積層体からなる凍結故障防止管を引き出しながら各積層体に分離し、あるいは、一対の積層体によって通信ケーブルを挟み込むように、それらの対向する開口端同士を突き合わせて凍結故障防止管を形成しつつ外管体に挿通することができることから、通信ケーブルの有無に関係なく凍結故障防止管を交換することが可能となり、通信ケーブルを撤去したり、別途バイパス回路を形成するなどの準備作業を大幅に削減することができる。
【００３５】
なお、通信ケーブルの管路を形成する場合、全てを凍結故障防止用通信ケーブル管で形成する必要はなく、水が凍結する可能性のある部分のみ凍結故障防止用通信ケーブル管を使用すればよく、凍結深度以上の深さに埋設されて水が凍結しない部分は従来から使用されている通信ケーブル管を使用すればよい。
【００３６】
本発明において、前記可撓管が、一側縁に二股状で、かつ、開口端縁に抜け止め部が対向して設けられた嵌合部を有し、他側縁に、該嵌合部内に摺動可能に嵌入係止される係止部を有する帯状の合成樹脂製プロファイルが螺旋状に巻回されるとともに、該巻回状態において互いに隣り合う嵌合部と係止部とが嵌合されて筒状に形成されたものであることが好ましい。このような可撓管を採用することにより、係止部を嵌合部内において管軸方向にスライドさせることにより伸縮させたり、曲げたりすることができ、また、係止部を嵌合部内において管の周方向にスライドさせることにより管径を自由に変化させることができる。したがって、曲率半径の小さなベンド管の内部に凍結故障防止管を挿通する場合であっても、ベント管の湾曲部において、しわや座屈を発生させたり、大きな曲げ抵抗を発生させることなく凍結故障防止管を容易に挿通させることができる。また、ベント管に挿通された凍結故障防止管の内部に通信ケーブルを引き込む場合であっても、凍結故障防止管の内面、すなわち、可撓管の内面は、ベント管の曲率半径に沿って実質的に平滑面であることから、大きな摩擦抵抗を発生させることなく通信ケーブルを引き込むことができる。
【００３７】
したがって、曲率半径の小さなベンド管に凍結故障防止管を支障なく挿通することができるため、深さの浅い位置に凍結故障防止用通信ケーブル管を埋設することが可能となり、施工上の制約を減少させることができるとともに、コストを削減することができる。
【００３８】
請求項２記載の発明において、前記凍結故障防止管に形成された切欠部が、対向する開口端の内周面にわたって開閉自在に設けられたゴムなどからなるカバー板によって遮蔽され、また、内側の可撓管の対向する開口端縁部がゴムなどからなるカバーによってそれぞれ被覆され、さらに、体積膨張吸収材料層が露出するように、外側の可撓管が内側の可撓管の切欠部よりも大きな範囲にわたって切り欠かれていることが好ましい。
【００３９】
カバー板によって通信ケーブルの引き込み時に、通信ケーブルが切欠部に入り込み、可撓管の開口端縁部で傷付けられるのを防止でき、また、切欠部を通して凍結故障防止管から通信ケーブルを抜き出し、あるいは、切欠部を通して凍結故障防止管へ通信ケーブルを押し込む際、通信ケーブルが可撓管の開口端縁部で傷付けられることを防止できるためである。
【００４０】
前記カバー板の厚みおよび硬度が大きいと、カバー板によって通信ケーブルを切欠部に入り込まないように保持することができるが、凍結故障防止管の交換作業がしにくくなることから、厚みは２ｍｍ程度、硬度は５０程度が好ましい。
【００４１】
請求項３記載の発明において、前記各積層体の一方の開口端の内周面に、互いに対向する他方の積層体の開口端の内周面に接触するゴムなどからなるカバー板が設けられるとともに、内側の可撓管の一方の開口端縁部がゴムなどからなるカバーによってそれぞれ被覆されていることが好ましい。
【００４２】
前記カバー板によって、通信ケーブルの引き込み時に、通信ケーブルが一対の積層体の対向する開口端間に入り込み、可撓管の開口端縁部で傷付けられるのを防止できるためである。
【発明の効果】
【００４３】
本発明によれば、凍結障害防止効果が優れるとともに、光ファイバーケーブルなどの通信ケーブルの挿通が容易であり、また、凍結故障防止機能を簡単に交換することができる。
【発明を実施するための最良の形態】
【００４４】
図１乃至図３には、本発明の凍結故障防止用通信ケーブル管１の一実施形態が示されている。
【００４５】
この凍結故障防止用通信ケーブル管１は、外径９６ｍｍ、内径８３ｍｍの塩化ビニル樹脂よりなる外管体２と、外管体２の内側に挿通された外径７８ｍｍ、内径５４ｍｍの凍結故障防止管３と、からなり、凍結故障防止管３は、独立気泡を有するポリエチレン樹脂発泡体（積水化学社製、商品名「ソフトロンＳ」、発泡倍率３０倍）からなる厚み５ｍｍの体積膨張吸収材料層４の内周面側および外周面側に可撓管５（タイガースポリマ社製、商品名「タイフレキホース」）がそれぞれ積層されて構成されている。
【００４６】
可撓管５は、図３に詳細に示すように、一側縁に、二股状で、かつ、開口端内縁に抜け止め部５２ａが対向して設けられた嵌合部５２を有し、他側縁に、該嵌合部５２内に摺動可能に嵌入係止される係止部５３を有する帯状の合成樹脂製プロファイル５１を螺旋状に巻回するとともに、巻回状態において、互いに隣り合う嵌合部５２と係止部５３とを嵌合させて筒状に形成されたものである。このような可撓管５は、伸縮性を有するとともに、可撓性を有している。すなわち、可撓管５は、係止部５３を嵌合部５２内において管の軸方向にスライドさせることにより伸縮させたり、曲げたりすることができ、また、係止部５３を嵌合部５２内において管の周方向にスライドさせることにより管径を自由に変化させることができる。
【００４７】
また、可撓管５は、その内面および外面が実質的に平滑であり、体積膨張吸収材料層４の外面に積層されて、体積膨張吸収材料層４の傷付きを防止するとともに、外管体２に対する挿通抵抗を低減することができる。また、可撓管５が体積膨張吸収材料層４の内面に積層されて、体積膨張吸収材料層４の傷付きを防止するとともに、通信ケーブルの引き込みに際して支障を発生させることがない。
【００４８】
このように構成された凍結故障防止用通信ケーブル管１は、寒冷地において、浸入した不明水が凍結して体積が膨張したとしても、可撓管５を介して体積膨張吸収材料層４で凍結による体積増加を吸収することができ、通信ケーブルが圧迫されて通信特性が悪化したり、外管体２が破壊されることがなく、凍結障害防止効果が優れている。
【００４９】
また、凍結故障防止用通信ケーブル管１の内面には実質的に平滑な可撓管５が積層されているので、光ケーブルなどの通信ケーブルの挿通が容易であり、より径大な管を用いずとも多数の光ケーブルなどの通信ケーブルを挿通することができ、また、小径な分岐管であっても容易に挿通することができる。
【００５０】
さらに、万が一通信障害が発生し、凍結故障防止管３の凍結障害防止機能が損なわれたと判断された場合には、通信ケーブルを撤去した後、必要な凍結故障防止管３を外管体２から引き抜き、新たな凍結故障防止管３を外管体２内に挿通して簡単に交換することができる。その後、通信ケーブルを凍結故障防止管３に挿通すればよい。
【００５１】
この際、凍結故障防止管３の外面は、平滑な可撓管５が積層されていることから、外管体２に対する接触抵抗は小さく、容易に挿通することができる。
【００５２】
なお、凍結故障防止管３の交換に際しては、通信ケーブルの撤去に先立って別途バイパス回路を形成し、ユーザーの通信を遮断することがないように事前に準備しておくものとする。
【００５３】
また、このような凍結故障防止用通信ケーブル管１は、埋設深さを浅層化する際に好適に用いることができる。例えば、図４に示すように、立ち上げ管６の一端を半径０．３ｍのベンド管７の受け口７１に接続する一方、ベンド管７の差し口７２に小径の通信ケーブル管（図示せず）の受け口を接続し、立ち上げ管６の開口端から凍結深度に対応するベンド管７の差し口７２にかけて凍結故障防止管３を挿通した場合、可撓管５は、ベンド管７の湾曲部において、管軸方向に伸縮してしわを発生させることなく沿わせることができ、また、曲げに対して小さな抵抗しか発生しないため、凍結故障防止管３の先端をベンド管７の差し口７２に達するまで円滑に挿通することができる。また、可撓管５の内面は、実質的に平滑であり、ベンド管７の湾曲部に沿ってしわを発生させることもないため、光ファイバーケーブルなどの通信ケーブルの引き込みに際して大きな抵抗を受けることがない。
【００５４】
なお、ベンド管７の受け口７１には、シール材８が設けられ、また、その差し口７２の開口端の内周面には、断面直角三角刑状のゴムストッパ９が接着されており、シール材８を介して立ち上げ管６を密封する一方、ゴムストッパ９を介して凍結故障防止管３の先端を係止してそれ以上の進入を防止するとともに、凍結故障防止管３との段差による通信ケーブル引き込み時の干渉を防止するようにしている。
【００５５】
このため、凍結故障防止用通信ケーブル管１を地表より６０ｃｍ程度の深さに埋設することが可能となり、埋設コストを低減することができるとともに、埋設深さが他の埋設物、例えば、水道管やガス管などによって制約されている場合であっても対応することができる。
【００５６】
図５には、本発明の凍結故障防止用通信ケーブル管１の他の実施形態が示されている。
【００５７】
この実施形態の凍結故障防止用通信ケーブル管１も、塩化ビニル樹脂よりなる外管体２と、外管体２の内側に挿通された凍結故障防止管３と、からなり、凍結故障防止管３は、独立気泡を有するポリエチレン樹脂発泡体からなる体積膨張吸収材料層４の内周面および外周面に可撓管５がそれぞれ積層されて構成されている。
【００５８】
この実施形態の凍結故障防止用通信ケーブル管１を構成する外管体２、体積吸収材料層４およびその内外にそれぞれ積層された可撓管５からなる凍結故障防止管３は、先に説明したものと同一であり、同一の符号を付してその詳細な説明を省略するとともに、相違する点についてのみ説明する。
【００５９】
この実施形態の凍結故障防止用通信ケーブル管１を構成する凍結故障防止管３には、周方向に切欠部３ａが形成されている。そして、凍結故障防止管３に形成された切欠部３ａによって開口された内側の可撓管５の一方の開口端縁部には、断面ｈ字状のゴムからなるカバー板１０が装着され、該カバー板１０は、切欠部３ａによる可撓管５の開口端間を覆う長さに形成されて、その先端が対向する他方の開口端縁部の内周面に接触されている。また、対向する他方の開口端縁部には、断面コ字状のゴムからなるカバー１１が装着されている。
【００６０】
なお、凍結故障防止管３における外側の可撓管５は、体積膨張吸収材料層４の開口端縁部の外周面が一部露出するように、内側の可撓管５の切欠開口よりも大きな範囲にわたって切り欠かれている。
【００６１】
このような凍結故障防止管３を外管体２内に挿通して形成された凍結故障防止用通信ケーブル管１の場合には、前述した凍結故障防止用通信ケーブル管１の作用効果に加え、通信ケーブルを撤去することなく凍結故障防止管３のみを交換することが可能となる。
【００６２】
すなわち、図６に示すように、外管体２である立ち上げ管６に挿通する際、通信ケーブルＣが立ち上げ管６内に既に引き込まれていたとしても、凍結故障防止管３のカバー板１０を押し開き、その切欠部３ａを通して通信ケーブルＣを凍結故障防止管３の内側に導くことができる。そして、内部に通信ケーブルＣを収容つつ凍結故障防止管３を立ち上げ管６に挿通すればよい。一方、凍結故障防止管３を立ち上げ管６から抜き出す場合は、凍結故障防止管３を抜き出しつつ、そのカバー板１０を押し開いて通信ケーブルＣを凍結故障防止管３の切欠部３ａを通して引き出せばよい。
【００６３】
この際、通信ケーブルＣは、内側の可撓管５の対向する開口端縁がカバー１１およびカバー板１０によって覆われていることにより、可撓管５の開口端縁によって通信ケーブルＣが傷付けられることを防止することができる。同様に、外側の可撓管５も、体積膨張吸収材料層４が露出するように、切欠部３ａによる内側の可撓管５の切欠開口がなす角度以上の角度で切り欠かれていることにより、外側の可撓管５の開口端縁に通信ケーブルＣが接触して傷付けられるのを防止することができる。
【００６４】
この結果、光ファイバーなどの通信ケーブルを撤去したり、ユーザーの通信を遮断することがないように、別途バイパス回路を形成する準備作業が不要となり、凍結故障防止管の交換作業を円滑に行うことができる。
【００６５】
また、図７には、前述した凍結故障防止用通信ケーブル管１の他の実施形態の変形例が示されている。
【００６６】
この凍結故障防止用通信ケーブル管１も、塩化ビニル樹脂よりなる外管体２と、外管体２の内側に挿通された凍結故障防止管３と、からなり、凍結故障防止管３は、独立気泡を有するポリエチレン樹脂発泡体からなる体積膨張吸収材料層４の内周面および外周面に可撓管５がそれぞれ積層されて構成されている。
【００６７】
この凍結故障防止用通信ケーブル管１を構成する外管体２、体積吸収材料層４およびその内外にそれぞれ積層された可撓管５からなる凍結故障防止管３も、先に説明したものと同一であり、同一の符号を付してその詳細な説明を省略するとともに、相違する点についてのみ説明する。
【００６８】
この実施形態の凍結故障防止用通信ケーブル管１を構成する凍結故障防止管３は、断面半円筒状の体積膨張吸収材料層４１と、該体積膨張吸収材料層４１の内面および外面にそれぞれ積層され、外面および内面が実質的に平滑な断面半円筒状の可撓管５１とによって断面半円筒状の積層体３Ａを形成し、これら一対の積層体３Ａの開口端縁同士を対向して略円筒形状に形成したものである。そして、各積層体３Ａの一方の開口端縁部には、断面略ｈ字状のゴムからなるカバー板１０がそれぞれ装着され、該カバー板１０の先端が、対向する他方の積層体３Ａの開口端縁部の内周面に接触するように設定されている。
【００６９】
このような凍結故障防止管３を外管体２内に挿通して形成された凍結故障防止用通信ケーブル管１の場合も、前述した凍結故障防止用通信ケーブル管１の作用効果に加え、通信ケーブルを撤去することなく凍結故障防止管３のみを交換することが可能となる。
【００７０】
すなわち、詳細には図示しないが、外管体２である立ち上げ管６に挿通する際、通信ケーブルが立ち上げ管６内に既に引き込まれていたとしても、各積層体３Ａによって通信ケーブルを挟み込むようにして開口端同士を突き合わせて凍結故障防止管３を形成し、そのまま立ち上げ管６に挿通すればよい。一方、凍結故障防止管３を立ち上げ管６から抜き出す場合は、凍結故障防止管３を抜き出して、開口端同士が離脱するように各積層体３Ａに分離すればよく、作業をきわめて容易に行うことができる。
【００７１】
この際、通信ケーブルが、一対の積層体３Ａの対向する開口端間に相対的に位置しようとしても、内側の可撓管５の対向する開口端縁とともに、開口端間がカバー板１０によって覆われていることにより、可撓管５の開口端縁によって通信ケーブルが傷付けられることを防止できる。
【００７２】
この結果、光ファイバーなどの通信ケーブルを撤去したり、ユーザーの通信を遮断することがないように、別途バイパス回路を形成する準備作業が不要となり、凍結故障防止管の交換作業を円滑に行うことができる。
【産業上の利用可能性】
【００７３】
本発明によれば、通信ケーブルの挿通が容易であり、凍結障害の発生を防止することができ、また、仮に凍結障害が発生したとしても、凍結故障防止管を簡単に交換することができることから、寒冷地における情報通信網を効率よく構築することが可能となる。
【図面の簡単な説明】
【００７４】
【図１】本発明の凍結故障防止用通信ケーブル管の一実施形態を示す断面図である。
【図２】図１の凍結故障防止用通信ケーブル管の断面図である。
【図３】図２におけるＡ部の拡大断面図である。
【図４】図１の凍結故障防止用通信ケーブル管の具体例を示す半断面図である。
【図５】本発明の凍結故障防止用通信ケーブル管の他の実施形態を示す断面図である。
【図６】図４の凍結故障防止用通信ケーブル管における凍結故障防止管の交換要領を示す説明図である。
【図７】図４の凍結故障防止用通信ケーブル管の変形例を示す断面図である。
【図８】従来の通信ケーブルを家庭に分岐する分岐管を示す説明図である。
【符号の説明】
【００７５】
１  凍結故障防止用通信ケーブル管
２  外管体
３  凍結故障防止管
４  体積膨張吸収材料層
５  可撓管
６  立ち上げ管
７  ベンド管
８  シール材
９  ゴムストッパ
１０  カバー板
１１  カバー
【図１】
2008079437.tif 000003
【図２】
2008079437.tif 000004
【図３】
2008079437.tif 000005
【図４】
2008079437.tif 000006
【図５】
2008079437.tif 000007
【図６】
2008079437.tif 000008
【図７】
2008079437.tif 000009
【図８】
2008079437.tif 000010